(57)【特許請求の範囲】
【請求項１】
側壁の上部に開口部からドア収納場所までレールを配設するとともに、該レール内を移動可能な吊り車にドアを吊支し、前記レールに沿って前記ドアを移動させることにより、前記開口部を開放、閉塞するようにしたスライドドアトイレのドア装置において、
前記ドアを前記レールの一方の端部側に付勢する付勢手段と、前記ドアを前記レールの他方の端部側で、前記付勢手段によるドアの付勢力よりわずかに大きい保持力をもって保持する保持手段とを設け、前記保持手段を、下に凸に緩やかに曲げた２枚の舌片からなる板ばねを、両舌片の下向凸部が吊り車におけるレールの長手方向に離間する２対の車輪間に落ち込んで、それぞれの車輪の上に係合できる位置において、取付金具に固定したものとしたことを特徴とするスライドドアトイレのドア装置。
【請求項２】
付勢手段を、ドアを開放側に付勢するドア常開式のものとし、保持手段を、前記ドアをその開口部閉塞位置で保持するものとした、請求項１記載のスライドドアトイレのドア装置。
【請求項３】
側壁を左右に立設し、一方の側壁の上部では、該側壁に向けて凸に湾曲し、また前方の開口部の上部では、前方に向けて凸に湾曲するような連続する円弧状のレールを、前記左右の側壁の上部に配設し、円弧状のドアを、一方の側壁側となる開放状態と、前記前方の開口部を閉塞して内側から施錠可能な施錠状態との間で、前記レールに移動可能に吊支するとともに、前記円弧状のドアの一方の側壁側の端部の内側に把手を、また前記一方の側壁側の内側に施錠手段を取り付けた請求項２記載のスライドドアトイレのドア装置。
【発明の詳細な説明】
【０００１】
【発明の属する技術分野】
本発明は、スライドドアトイレのドア装置、特にスライドドアを、その移動行程の終りで、自動的かつ一時的に保持して停止させるようにしたドア装置に関する。
【０００２】
【従来の技術】
従来、スライドドアのトイレブースは、ドアを常に開いた状態、または閉じた状態のいずれかになるように、付勢手段で付勢されている。
【０００３】
【発明が解決しようとする課題】
上述のドアが常開側に付勢されていると、使用者がトイレブースに入り、ドアを閉めて施錠しようとする時、ドアから手を離すとドアが開放方向に動いてしまい施錠できなくなり、殊に車椅子使用者が車椅子に座ったまま施錠動作を行うことが非常に難しいという問題がある。
また、ドアが常閉側に付勢されていると、ドアを開けてトイレブースに出入しようとする時、ドアから手を離すと、ドアが閉塞方向に動いてしまうため、車椅子使用者がドアを片手で押さえながら、片手で車椅子を押し進めなければならないという不具合がある。
【０００４】
本発明は、このような問題点を解決するために、スライドドアトイレにおいて、ドアを、その移動行程の終りにおいて、一時的かつ自動的に停止させる機能を付与したドア装置を提供することを目的としている。
【０００５】
【課題を解決するための手段】
本発明によると、上記課題は、次のようにして解決される。
(１) 側壁の上部に開口部からドア収納場所までレールを配設するとともに、該レール内を移動可能な吊り車にドアを吊支し、前記レールに沿って前記ドアを移動させることにより、前記開口部を開放、閉塞するようにしたスライドドアトイレのドア装置において、前記ドアを前記レールの一方の端部側に付勢する付勢手段と、前記ドアを前記レールの他方の端部側で、前記付勢手段によるドアの付勢力よりわずかに大きい保持力をもって保持する保持手段とを設け、前記保持手段を、下に凸に緩やかに曲げた２枚の舌片からなる板ばねを、両舌片の下向凸部が吊り車におけるレールの長手方向に離間する２対の車輪間に落ち込んで、それぞれの車輪の上に係合できる位置において、取付金具に固定したものとする。
【０００６】
(２) 上記(１)項において、付勢手段を、ドアを開放側に付勢するドア常開式のものとし、保持手段を、前記ドアをその開口部閉塞位置で保持するものとする。
【０００７】
(３) 上記(２)項において、側壁を左右に立設し、一方の側壁の上部では、該側壁に向けて凸に湾曲し、また前方の開口部の上部では、前方に向けて凸に湾曲するような連続する円弧状のレールを、前記左右の側壁の上部に配設し、円弧状のドアを、一方の側壁側となる開放状態と、前記前方の開口部を閉塞して内側から施錠可能な施錠状態との間で、前記レールに移動可能に吊支するとともに、前記円弧状のドアの一方の側壁側の端部の内側に把手を、また前記一方の側壁側の内側に施錠手段を取り付ける。
【０００８】
【発明の実施の形態】
図１〜図４は、本発明のスライドドアトイレの一実施形態を示す。
図１は、ドア開放状態、図２は、ドア閉塞状態を示している。
【０００９】
図１〜図３に示すように、トイレブース(１)は、左右の両側壁(２)(３)により画成され、その前方は開口部(４)となっている。
トイレブース(１)の前方の開口部(４)の一方の側壁、すなわち、向かって左側の側壁(２)の前部には、開口部(４)に張り出す前壁(５)が、また右側の側壁(３)の前部にも、同様の短い前壁(６)が取り付けられている。
【００１０】
図３に示すように、開口部(４)の上方には、中央の突出部を前方とする円弧状のレール(７)が、図示されていない短い支柱をもって、側壁(２)(３)または前壁(５)(６)に支持されて、開口部(４)から側壁(２)に沿うドア収納場所まで延在している。
【００１１】
円弧状のレール(７)には、同様の曲率の円弧状のドア(８)が、その両端部近くの上端に取り付けた吊り車(９)により、移動可能に吊支されている。
【００１２】
レール(７)の内部には、例えば、商品名コンストンばねと呼ばれる定トルクばねのような公知の付勢手段(10)が配設されており、円弧状のドア(８)は、付勢手段(10)により、図１に示す開口部開放位置に常時付勢されている。
【００１３】
他方の側壁(３)側のレール(７)の端部の内部には、保持手段(11)が取り付けられている。保持手段(11)は、図４に示すように、下に凸に緩やかに曲げた２枚の舌片(12a)からなる板ばね(12)を、両舌片(12a)の下向凸部が吊り車(９)におけるレール(７)の長手方向に離間する２対の車輪(9a)(9a)、(9a)(9a)間に落ち込んで、それぞれの車輪(9a)の上に係合できる位置において、取付金具(13)に固定してなるもので、取付金具(13)がレール(７)の内部に固定されている。
【００１４】
保持手段(11)は、ドア(８)が、その開口部閉塞位置（図２及び図３）に達した時、側壁(３)側の吊り車(９)に係合し、これを、自動的かつ一時的に係止して、ドア(８)を停止させる。この時、付勢手段(10)により、ドア(８)は開口部開放方向に付勢されるが、保持手段(11)の力は、この付勢力に打ち勝って、ドア(８)を保持している。
【００１５】
図１及び図２において、符号(14)は、ドア(８)の一方の側壁(２)側の端部内側に取り付けた把手、符号(15)は、前壁(５)の内側に取り付けられ、ドア(８)の端縁に係合してドア(８)を施錠する施錠手段である。
【００１６】
本発明のドア装置は上述のような構成であり、使用に際しては、図１に示すように、常開状態の開口部(４)からトイレブース(１)内に入り、前を向いたまま、手でドア(８)の把手(14)を押して、図２に示す開口部閉塞状態までドア(８)を、付勢手段(10)の力に抗して移動させる。
すると、図３及び図４を参照して上に説明した保持手段(11)が、吊り車(９)を捕らえて、ドア(８)をその位置で保持して停止状態とする。この状態では、ドア(８)から手を離しても、ドア(８)は動かないので、離した手で施錠手段(15)を掛ける。
ドアブース(１)から出る時は、これと逆手順であることはいうまでもない。
なお、付勢手段(10)は、上述したコンストンばねに限るものではなく、例えば重錘を利用したものでもよく、また保持手段(11)も、板ばね式のものに限らず、例えば磁石を利用したものでもよい。
【００１７】
ドア(８)が常閉型式のものであれば、保持手段(11)を、ドア(８)の反対側を保持する位置に配設しておく。この場合、外部から、ドア(８)を図１に示す開放位置まで移動させると、保持手段(11)が作動して、ドア(８)はその位置に保持され、トイレブース(１)内に進入後、図１に示すように把手(14)をわずかに押せば、ドア(８)は、付勢手段(10)により、自動的に図２に示す開口部閉塞位置まで移動する。この時、施錠手段(15)を掛ければよい。
【００１８】
【発明の効果】
請求項１記載の発明によれば、ドアをその移動行程の終りで一時的に保持でき、ドア及び施錠手段を片手で操作することができ、車椅子使用者でも、トイレの使用が一人で不自由なく容易にできる。
また、簡易な構造で、作動確実な一時的保持手段を得ることができる。
【００１９】
請求項２記載の発明によると、使用者がトイレブースに入ってドアを閉めると、手を離してもドアは開かないので、そのまま施錠を行うことができ、ドアを片手で操作することができる。
【００２０】
請求項３記載の発明によると、前方の開口部で左右方向に移動するドアが室内空間の側部に収納されるため、トイレブースをコンパクトにし、かつドアの把手をこの側部側のドア端部に、また施錠手段をこの側部側に設けることにより、操作時の勝手が良好となる。
【図面の簡単な説明】
【図１】  本発明の一実施形態における使用者がトイレブース内に進入した状態を示すスライドドアトイレの平面図である。
【図２】  同じく、トイレブース内に進入した使用者がドアを閉じた状態におけるスライドドアトイレの平面図である。
【図３】  同じく、ドア装置の上部だけを示すスライドドアトイレの部分斜視図である。
【図４】  同じく、保持手段、吊り車及びレールの関係を示す保持手段の拡大斜視図である。
【符号の説明】
(１)トイレブース
(２)(３)側壁
(４)開口部
(５)(６)前壁
(７)レール
(８)ドア
(９)吊り車
(9a)車輪
(10)付勢手段
(11)保持手段
(12)板ばね
(12a)舌片
(13)取付金具
(14)把手
(15)施錠手段
【図１】
0003844893.tif 000002
【図２】
0003844893.tif 000003
【図３】
0003844893.tif 000004
【図４】
0003844893.tif 000005